(57)【要約】      （修正有）【課題】手首部分の捲りあがりを防止することで着用感に優れるとともに作業性を向上させた作業用手袋を提供する。【解決手段】作業用手袋１は、手の甲、掌及び指を覆い、少なくとも一つの指袋１０１を有する本体部１０と、前記本体部の基部側Ｂに開設され、前記手の甲、前記掌及び前記指が挿脱される開口端１１１を有する手首部１１と、を有する作業用手袋において、前記手首部の端部が、前記本体部側へ折り返された二重構造である。また、本考案の作業用手袋は、前記本体部の少なくとも一部が、ゴム１２で被覆されていることが好ましい。【選択図】図３
0003161200.tif 000002
【実用新案登録請求の範囲】
【請求項１】
手の甲、掌及び指を覆い、少なくとも一つの指袋を有する本体部と、
前記本体部の基部側に開設され、前記手の甲、前記掌及び前記指が挿脱される開口端を有する手首部と、を有する作業用手袋において、
前記手首部の端部が、前記本体部側へ折り返された二重構造であることを特徴とする作業用手袋。
【請求項２】
手首部の端部が、本体部の内側に向けて折り返される請求項１に記載の作業用手袋。
【請求項３】
本体部の少なくとも一部が、ゴムで被覆されている請求項１から２のいずれかに記載の作業用手袋。
【考案の詳細な説明】
【技術分野】
【０００１】
本考案は、手首部分の捲りあがりを防止し、着用感を向上させた作業用手袋に関する。
【背景技術】
【０００２】
手袋は、防寒具として使用されるだけでなく、建設現場などで手を保護するための作業用手袋としても使用されている。
【０００３】
作業用手袋は、生地が損傷、磨耗しやすい箇所に補強材を積層させることによって、耐久性を向上させたり、作業用手袋の掌面側に滑り止め加工を施したりすることが一般的であり、例えば、手指の先端部から該先端部に最も近い関節位置まで掌側の領域にゴムなどの補強材を積層してなる作業用手袋が提案されている（特許文献１〜３など）。
【０００４】
しかしながら、長時間作業用手袋を着用していたり、重量物を把持すると作業用手袋の手首部分が捲りあがり、その度に作業が中断してしまうといった問題があった。また、手首部分が捲りあがることでフィット感が劣るので、作業用手袋を着用した状態で細かい作業ができないという問題もあった。また、補強材として使用されているゴムは金属等と付着しやすいので、作業時に該ゴムが金属等に触れることで作業用手袋が脱げ易くなり、作業性が劣るという問題もあった。
手首部分の捲りあがり防止及びフィット感の向上のため、作業用手袋全体の密着性を上げると、圧迫感が生じ、作業用手袋を着用して長時間作業することが困難となるという問題があった。
【０００５】
したがって、手首部分の捲りあがりを防止し、圧迫感がなく、フィット感に優れる、即ち着用感に優れるとともに作業性を向上させた作業用手袋の速やかな開発が強く求められているのが現状である。
【先行技術文献】
【特許文献】
【０００６】
【特許文献１】実用新案登録第３０１５２８８号公報
【特許文献２】実用新案登録第３１２３３９４号公報
【特許文献３】実開平０５−５１３８４号公報
【考案の概要】
【考案が解決しようとする課題】
【０００７】
本考案は、かかる現状に鑑みてなされたものであり、従来における前記諸問題を解決し、以下の目的を達成することを課題とする。即ち、本考案は、手首部分の捲りあがりを防止することで着用感に優れるとともに作業性を向上させた作業用手袋を提供することを目的とする。
【課題を解決するための手段】
【０００８】
前記課題を解決するための手段としては、以下の通りである。即ち、
＜１＞  手の甲、掌及び指を覆い、少なくとも一つの指袋を有する本体部と、前記本体部の基部側に開設され、前記手の甲、前記掌及び前記指が挿脱される開口端を有する手首部と、を有する作業用手袋において、前記手首部の端部が、前記本体部側へ折り返された二重構造であることを特徴とする作業用手袋である。
本考案の作業用手袋は、前記手首部の端部が、前記本体部側へ折り返され、前記開口端の内部で縫合されていることから、前記手首部は、二重構造となっている。これにより、着用者の手首と本考案の作業用手袋との密着力が向上するので、手首部分が捲りあがることがなくなる。
＜２＞  手首部の端部が、本体部の内側に向けて折り返される前記＜１＞に記載の作業用手袋である。
＜３＞  本体部の少なくとも一部が、ゴムで被覆されている前記＜１＞から＜２＞のいずれかに記載の作業用手袋である。
【考案の効果】
【０００９】
本考案によれば、従来における諸問題を解決でき、手首部分の捲りあがりを防止し、着用感に優れるとともに作業性を向上させた作業用手袋を提供することができる。
【図面の簡単な説明】
【００１０】
【図１】図１は、本考案の作業用手袋の掌側の一例を示す正面図である。
【図２】図２は、本考案の作業用手袋の手の甲側の一例を示す正面図である。
【図３】図３は、本考案の作業用手袋の手の甲側の一例を示す鳥瞰図である。
【図４】図４は、図１のＡ−Ａ’断面図である。
【考案を実施するための形態】
【００１１】
本考案の作業用手袋は、本体部と、手首部と、を有し、必要に応じてその他の部材を有してなる。なお、図１〜図４は右手用の作業用手袋を示しているが、左手用であっても実質的に差異はない。
【００１２】
−本体部−
前記本体部１０は、手の甲、掌及び指を覆う部材である。図１〜図３に一例を示したように、前記本体部１０は、手の甲及び掌を覆う箇所の先端部に少なくとも一つの指袋１０１が連接されている。また、手の甲及び掌を覆う箇所との端縁が縫い合わされている。
【００１３】
前記指袋１０１としては、図１〜図３に一例を示したように、指袋１０１を５つ有する形態が代表的なものであるが、例えば、親指と人差指以外の指が一つの指袋１０１に入るようになったミトンタイプの作業用手袋であってもよい。
【００１４】
前記本体部１０の材料としては、フィット感を向上させるために伸縮性がある繊維の織物であれば特に制限はなく、使用目的に応じて適宜変更することができるが、例えば、天然繊維、化学繊維などが挙げられる。これらは、１種単独で用いてもよく、２種以上を併用してもよい。
前記天然繊維としては、例えば、皮、麻、綿、絹、毛などが挙げられる。
前記化学繊維としては、例えば、ナイロン繊維、ポリエステル繊維、ＰＥＴ再生繊維などが挙げられる。
【００１５】
前記本体部１０の厚みとしては、特に制限はなく、使用目的に応じて適宜変更することができるが、例えば、０．１ｍｍ〜１０ｍｍが好ましく、０．２ｍｍ〜５ｍｍがより好ましく、０．３ｍｍ〜４ｍｍが特に好ましい。
前記厚みが、０．１ｍｍ未満であると、手を保護することができないことがあり、１０ｍｍを超えると、作業性及びフィット感に劣るので細かい作業に向かなくなることがある。
【００１６】
−手首部−
前記手首部１１は、前記本体部１０の基部側Ｂに開設され、前記手の甲、前記掌及び前記指が挿脱される開口端１１１を有する。
【００１７】
前記手首部１１の材料としては、特に制限はなく、使用目的に応じて適宜変更することができるが、例えば、天然繊維、化学繊維などが挙げられる。これらは、１種単独で用いてもよく、２種以上を併用してもよい。
前記天然繊維としては、例えば、皮革、麻、綿、絹、毛などが挙げられる。
前記化学繊維としては、例えば、ナイロン繊維、ポリエステル繊維、ＰＥＴ再生繊維などが挙げられる。
なお、前記手首部１１の材料としては、前記本体部１０と同一材料であってもよく、異なる材料であってもよい。
【００１８】
また、前記手首部１１としては、ゴム糸などの弾性体を編みこむようにしてもよい。前記弾性体を編みこむことで、着用者の手首と本考案の作業用手袋１との隙間がなくなるので、手首部分の捲りあげが防止され、着用感をより向上させることができる。
【００１９】
前記手首部１１としては、手首側の端部１１２が前記開口端１１１側へ折り返されて、前記端部１１２が前記手首部１１の内部で縫い付けられる。これにより、手首部１１は、図４に一例を示すように二重構造となり、着用者の手首と本考案の作業用手袋１との密着力が向上するので、手首部分が捲りあがることが防止され、着用感をより向上させることができる。なお、必要に応じて、前記端部１１２が前記手首部１１の外側で縫い付けられるようにしてもよい。
【００２０】
前記端部１１２を縫い付ける箇所としては、特に制限されず、使用目的などに応じて適宜変更することができるが、端部１１２のみを手首部１１に縫い付けてもよく、折り返した部分全てと手首部１１とを縫い付けるようにしてもよい。
前記端部１１２の縫い付け方法としては、特に制限されず、使用目的などに応じて適宜変更することができるが、例えば、端部１１２の全周を縫う方法、端部１１２の一部を縫う方法などが挙げられる。なお、前記端部１１２の一部を縫う方法としては、例えば、等間隔で数箇所縫う方法が好適である。
【００２１】
前記端部１１２の折返し寸法としては、特に制限されず、使用目的などに応じて適宜変更することができるが、例えば、２ｃｍ〜８ｃｍが好ましく、２．５ｃｍ〜７ｃｍがより好ましく、３ｃｍ〜５ｃｍが特に好ましい。
前記折り返し寸法が、２ｃｍ未満であると、着用者の手首と本考案の作業用手袋１との密着力を向上させることができないので、手首部分の捲りあがりを防止することができず、使用者の作業が中断してしまうことがある。また、着用者が作業用手袋を着用する際、手首部１１が内側に巻き込まれてしまうことがあり、８ｃｍを超えると、着用者の手首と本考案の作業用手袋１との密着力が強くなるので使用者の手首に圧迫感が生じ、使用者が長時間着用することが困難となるとともにコストも高くなることがある。
前記折り返し寸法とは、図４に示したように、端部１１２を開口端１１１で縫い付けた箇所から開口端１１１の手首側の距離Ｌをいう。
【００２２】
−その他の部材−
前記その他の部材としては、図１〜図３に一例を示すように、本体部１０を補強材又は滑り止めとしてゴム１２で被覆するようにしてもよい。
【００２３】
前記ゴム１２の被覆範囲としては、特に制限はなく、使用目的などに応じて適宜変更することができるが、例えば、図１に一例を示すように、掌側全体をゴム１２で被覆し、図２に一例を示すように、手の甲側の一部をゴム１２で被覆してもよい。また、掌側のみゴム１２で被覆してもよく、手の甲側のみゴム１２で被覆してもよい。さらに、掌側の一部をゴム１２で被覆してもよい。
【００２４】
なお、前記ゴム１２を本体部１０に被覆する代わりに、本体部１０に公知の方法により滑り止め加工を施してもよい。
【産業上の利用可能性】
【００２５】
本考案の作業用手袋は、手首部が二重構造になっていることから手首部分から作業用手袋が捲りあがることがなくなり、着用感が向上するので、作業用手袋のみではなく、防寒具用の手袋にも好適に使用することができる。
【符号の説明】
【００２６】
１        作業用手袋
１０      本体部
１０１    指袋
１１      手首部
１１１    開口端
１１２    端部
１２      ゴム
【図１】
0003161200.tif 000003
【図２】
0003161200.tif 000004
【図３】
0003161200.tif 000005
【図４】
0003161200.tif 000006